(57)【要約】【課題】  映像表示装置が発する光が反射することで生じる、室内の明るさの変動に起因する視聴者の不快感を軽減することが可能な映像表示装置及び映像表示装置の制御方法を提供する。【解決手段】  映像表示装置１００が設置された環境における外光を外光センサ１０４で検出するとともに、ディスプレイ部１０２で表示された映像のＡＰＬ値を用いて、環境における反射光の照度を反射量算出部１０５が算出する。ＡＰＬ値から生成された第１調整値と、反射量から生成された第２調整値とから、ディスプレイ部１０２からの発光量が大きい映像フレームデータのピーク輝度レベルを補正するための輝度ゲイン制御値を生成する。【選択図】  図１
2008268500.tif 000002
【特許請求の範囲】
【請求項１】
映像信号を表示する表示部と、外光の照度を検出する外光検出部とを備えた映像表示装置であって、
前記外光検出部で検出された照度検出値を取得する取得手段と、
映像信号のフレームデータ毎の平均輝度値を算出する平均輝度値算出手段と、
前記平均輝度値算出手段で算出された平均輝度値と、前記取得手段で取得した照度検出値とに基づいて、前記照度検出値に含まれる、映像表示装置で映像を表示することで生じる反射光の照度を決定する決定手段と、
前記決定手段で決定された反射光の照度及びフレームデータ毎の平均輝度値に基づいて、当該フレームデータを前記表示部に表示する場合の表示輝度を補正する制御を実行する補正手段と、
を有することを特徴とする映像表示装置。
【請求項２】
前記平均輝度値算出手段で算出された平均輝度値に基づいて、前記補正手段で利用される第１調整値をフレームデータ毎に生成する第１調整値生成手段と、
前記決定手段で決定された反射光の照度に基づいて、前記補正手段で利用される第２調整値を生成する第２調整値生成手段と、を有し、
前記補正手段は、前記第１調整値及び前記第２調整値とに基づいて、表示輝度を補正するための制御値を生成することを特徴とする請求項１に記載の映像表示装置。
【請求項３】
前記第２調整値生成手段は前記決定手段で決定された反射光の照度と、前記外光検出部で検出された照度検出値から反射光の照度を減じることで得られる環境光の照度の比率に基づいて前記第２調整値を生成することを特徴とする請求項２に記載の映像表示装置。
【請求項４】
前記決定手段は、前記平均輝度値と当該平均輝度値に対応する前記照度検出値の組を複数用いて反射光の照度を決定し、保持することを特徴とする請求項２に記載の映像表示装置。
【請求項５】
前記第２調整値生成手段は、前記決定手段が決定して保持した反射光の照度を所定の周期毎に取得し、取得した反射光の照度に基づいて前記第２調整値を生成することを特徴とする請求項４に記載の映像表示装置。
【請求項６】
映像信号を表示する表示部と、外光の照度を検出する外光検出部とを備えた映像表示装置の制御方法であって、
前記外光検出部で検出された照度検出値を取得する取得工程と、
映像信号のフレームデータ毎の平均輝度値を算出する平均輝度値算出工程と、
前記平均輝度値算出工程で算出された平均輝度値と、前記取得工程で取得した照度検出値とに基づいて、前記照度検出値に含まれる、映像表示装置で映像を表示することで生じる反射光の照度を決定する決定工程と、
前記決定工程で決定された反射光の照度及びフレームデータ毎の平均輝度値に基づいて、当該フレームデータを前記表示部に表示する場合の表示輝度を補正する制御を実行する補正工程と、
を有することを特徴とする映像表示装置の制御方法。
【請求項７】
前記平均輝度値算出工程で算出された平均輝度値に基づいて、前記補正工程で利用される第１調整値をフレームデータ毎に生成する第１調整値生成工程と、
前記決定工程で決定された反射光の照度に基づいて、前記補正工程で利用される第２調整値を生成する第２調整値生成工程と、を有し、
前記補正工程は、前記第１調整値及び前記第２調整値とに基づいて、表示輝度を補正するための制御値を生成することを特徴とする請求項６に記載の映像表示装置の制御方法。
【請求項８】
前記第２調整値生成工程は前記決定工程で決定された反射光の照度と、前記外光検出部で検出された照度検出値から反射光の照度を減じることで得られる環境光の照度の比率に基づいて前記第２調整値を生成することを特徴とする請求項７に記載の映像表示装置の制御方法。
【請求項９】
前記決定工程は、前記平均輝度値と当該平均輝度値に対応する前記照度検出値の組を複数用いて反射光の照度を決定し、保持することを特徴とする請求項７に記載の映像表示装置の制御方法。
【請求項１０】
前記第２調整値生成工程は、前記決定工程が決定して保持した反射光の照度を所定の周期毎に取得し、取得した反射光の照度に基づいて前記第２調整値を生成することを特徴とする請求項９に記載の映像表示装置の制御方法。
【発明の詳細な説明】
【技術分野】
【０００１】
本発明は、表示部に映像を表示する映像表示装置及び映像表示装置の制御方法であって、具体的には映像表示装置が設置されている周辺環境の明るさを検出することが可能な機能を有する映像表示装置及び映像表示装置の制御方法に関する。
【背景技術】
【０００２】
最近のデジタルテレビなどの映像表示装置には、外光センサを設けているものがある。なお、外光センサとは映像表示装置が設置された室内などにおいて、窓から入る日光や、室内の照明光などによる、その環境の照度を検出するものである。検出した照度に応じて、その環境に適した画質調整を行うことで、視聴者にとって見やすい映像表示や、電力消費の抑制などを達成することができる。
【０００３】
さらに、映像表示装置が動画や静止画などの映像を表示することによって発生する反射光によって、外部環境の明るさの誤検出を抑制する技術が特許文献１に開示されている。特許文献１のディスプレイ装置は、特許文献１に記載されているものと同様の、外光を検出して画像処理を実行するディスプレイ装置を前提としている。ディスプレイが映像を表示することによりディスプレイ自体が光源となり、その光が壁や天井、物体などに反射する。特許文献１は、その反射光が外光センサに入射することで、ディスプレイ装置が設置されている環境の照度が反射光によって変動し、正しい外光検出ができないという課題を解決するための技術を開示している。
【特許文献１】特開２００２−３５１４４５号公報
【発明の開示】
【発明が解決しようとする課題】
【０００４】
ここで、特許文献１に開示された技術を説明する。まず、本文献の実施の形態１では、映像の平均輝度と明るさ検出手段（外光センサ）で検出した照度を用いて、コントラストまたはブライトネスの補正量を調整することが開示されている。特許文献１の図２の直線（ａ）は、輝度レベルが所定の輝度レベルよりも小さい場合、つまり暗い映像の場合のコントラストの補正量の変化度合いを示している。また、直線（ｂ）は輝度レベルが所定の輝度レベルよりも大きい場合、つまり明るい映像の場合のコントラストの補正量の変化度合いを示している。なお、図２の横軸における周囲の明るさは、照明などの環境光と反射光から構成される明るさとなる。また、補正量はその量が大きいほどコントラストや輝度を下げる方向に働くものである。
【０００５】
続いて、本文献の実施の形態２では、明るさ検出手段で検出した照度と、輝度検出手段で検出した輝度とを用いて映像信号のブライトネスの補正を行っている。具体的には、周囲光の照度が一定の場合、外光センサで検出される照度は表示画像を光源とした反射光の入射の影響を受けることにより、映像信号の輝度変化と相関性を持つと記載されている。そのため、輝度変化を検出する手段と照度変化を検出する手段を用いて、外光センサで検出された照度から映像信号の輝度変化との相関成分を除去する。そして、反射光の影響を取り除いた照度検出結果に基づいてブライトネス及びコントラストの補正値を求め、ブライトネス・コントラスト制御手段に出力する。これらの技術により、特許文献１には、表示画像を光源とした反射光による影響を受けない安定した画質補正を行うことができると記載されている。
【０００６】
しかしながら、上述した特許文献１に記載の技術では、以下のような課題は解決することができない。
【０００７】
例えば、光を反射する要素がある室内において照明を暗くし、ＤＴＶを視聴している場合、ＤＴＶのパネルから発せられた光が室内で反射することで、室内全体が映像の明るさの変動に応じて明滅する。特に、明るい映像シーンと暗い映像シーンを短時間で繰り返すような映像を表示すると、室内の明度が短時間で変動することになる。こうした現象が発生することで視聴者が不快に感じる場合がある。
【０００８】
特許文献１の実施の形態１として開示された技術では、暗い室内において暗い映像シーンを表示した場合には、反射光が少ないために表示装置の周囲の明るさ度合いも小さくなり、結果として補正量が大きくなる。つまり、コントラストやブライトネスを下げる処理となる。対して、明るい映像シーンを表示した場合には反射光が増大するため、周囲の明るさ度合いも大きくなり、結果として補正量が小さくなる。つまり、コントラストやブライトネスを補正しない処理となる。従って、明るい映像シーンと暗い映像シーンを短時間で繰り返すような映像を表示した場合、明るい映像シーンは補正されずに高い輝度で表示されるが、暗い映像シーンは輝度を下げることになり、映像の表示輝度差が大きくなる。映像の表示輝度差が大きくなる制御を行うと、当然ながら室内の反射による明暗変化をより強調することになり、視聴者の不快感が増大する恐れがある。
【０００９】
また、実施の形態２として開示された技術は、センサに入射した照度から反射光の分の照度を除去している。これにより図４のグラフ（２）に示すような反射光の影響を取り除いた、室内の明るさを求め、この明るさを図２のグラフの横軸に設定し、ブライトネスやコントラストの補正値を求めている。
【００１０】
しかしながら、実施の形態２の構成は、反射光の成分を無視してしまうため、反射の度合いを全く考慮せずに、映像信号が有する輝度レベルの変動を補正量の調整に用いるものである。その結果、輝度が高い映像シーンは補正量が低減され、輝度が低い映像シーンは補正量が大きくなる。つまり、実施の形態１と同様の状況となり、室内の反射による明暗変化が強調されてしまう。
【００１１】
本発明は、上記課題を解決するためになされたもので、映像表示装置が発する光が反射することで生じる、室内の明るさの変動に起因する視聴者の不快感を軽減することが可能な映像表示装置及び映像表示装置の制御方法を提供することを目的とする。
【課題を解決するための手段】
【００１２】
上記目的を達成するために、本発明の映像表示装置は、映像信号を表示する表示部と、外光の照度を検出する外光検出部とを備えた映像表示装置であって、前記外光検出部で検出された照度検出値を取得する取得手段と、映像信号のフレームデータ毎の平均輝度値を算出する平均輝度値算出手段と、前記平均輝度値算出手段で算出された平均輝度値と、前記取得手段で取得した照度検出値とに基づいて、前記照度検出値に含まれる、映像表示装置で映像を表示することで生じる反射光の照度を決定する決定手段と、前記決定手段で決定された反射光の照度及びフレームデータ毎の平均輝度値に基づいて、当該フレームデータを前記表示部に表示する場合の表示輝度を補正する制御を実行する補正手段と、を有する。
【００１３】
また、上記目的を達成するために、本発明の映像表示装置の制御方法は、映像信号を表示する表示部と、外光の照度を検出する外光検出部とを備えた映像表示装置の制御方法であって、前記外光検出部で検出された照度検出値を取得する取得工程と、映像信号のフレームデータ毎の平均輝度値を算出する平均輝度値算出工程と、前記平均輝度値算出工程で算出された平均輝度値と、前記取得工程で取得した照度検出値とに基づいて、前記照度検出値に含まれる、映像表示装置で映像を表示することで生じる反射光の照度を決定する決定工程と、前記決定工程で決定された反射光の照度及びフレームデータ毎の平均輝度値に基づいて、当該フレームデータを前記表示部に表示する場合の表示輝度を補正する制御を実行する補正工程と、を有する。
【発明の効果】
【００１４】
以上説明したように、本発明の映像表示装置及び映像表示装置の制御方法によれば、映像表示装置が発する光が反射することで生じる、室内の明るさの変動に起因する視聴者の不快感を軽減することが可能となる。
【発明を実施するための最良の形態】
【００１５】
（実施例１）
以下、図面を参照して、本発明を実施するための最良の形態について、例示的に詳しく説明する。但し、本実施例及び後述する他の実施例に記載されている構成部品の機能、形状、その相対的配置などは、特定的な記載が無い限りは、本発明の範囲をそれらのみに限定する趣旨のものではない。また、以下の説明で一度説明した構成や部品についての機能、形状などは、特に改めて記載しない限り、当初の説明と同様のものであるとする。
【００１６】
図１は、本発明の映像表示装置１００の構成を示したブロック図である。映像表示装置１００にて表示される入力映像信号は、輝度ゲイン制御回路１０１とＡＰＬ計算部１０３にそれぞれ入力される。
【００１７】
輝度ゲイン制御回路１０１は、入力映像信号の輝度値のゲインを補正するための補正手段として動作する制御回路である。輝度ゲイン制御回路１０１で輝度が補正された映像信号は、ディスプレイ部１０２へ出力される。輝度ゲイン制御回路１０１で実行される映像信号の輝度値のゲイン補正については後述する。
【００１８】
表示部としてのディスプレイ部１０２は、輝度ゲイン制御回路１０１で輝度ゲインを補正された映像信号を表示するためのディスプレイである。なお、本発明においてはディスプレイの種別はどのようなものであっても構わないが、本実施例では、自発光型のディスプレイであるＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）を想定して説明する。
【００１９】
平均輝度値算出手段の一例であるＡＰＬ計算部１０３は、入力映像信号のＡＰＬ（Ａｖｅｒａｇｅ  Ｐｉｃｔｕｒｅ  Ｌｅｖｅｌ）を計測する算出部である。ＡＰＬとは、入力映像信号のフレームデータにおける平均輝度値に相当し、映像信号の１フレームを構成する画像データを構成する各画素の輝度値の平均値に相当する。ＡＰＬ計算部１０３は入力映像信号について、１フレーム単位でＡＰＬを算出し、算出したＡＰＬ値（平均輝度値）を後述する反射量算出部１０５及び第１調整値生成部１０７へ出力する。
【００２０】
外光検出部としての外光センサ１０４は、映像表示装置１００が設置されている視聴環境において、映像表示装置に当たる光の量（照度）を検出するセンサである。外光センサ１０４は、検出した照度検出値を反射量算出部１０５へ出力する。なお、外光センサ１０４が検出する照度は、視聴環境における照明や日光などの環境光における照度成分と、ディスプレイ部１０２で映像を表示することで発生した表示光が、映像表示装置１００の周辺の物体に反射した反射光の照度成分（反射量）とを含んでいる。
【００２１】
反射量算出部１０５は、外光センサ１０４から入力された照度検出値を取得する取得手段であると同時に、ＡＰＬ計算部１０３から入力されたＡＰＬ算出値を用いて、照度検出値に含まれる反射光の照度成分を決定する決定手段として動作する。
【００２２】
図２は、反射量算出部１０５で実行される反射量の算出処理の概念を示すグラフである。横軸がＡＰＬ算出値、縦軸が外光センサ１０４で検出される照度検出値となる。反射量算出部１０５は、ＡＰＬ算出値が低い場合の照度検出値と、ＡＰＬ算出値が高い場合の照度検出値の差分から、反射光における照度成分量を求める。
【００２３】
上述したように、ディスプレイ部１０２で映像を表示することで発生した表示光は、映像表示装置１０２が設置されている室内などの壁や天井、床、設置物などに反射し、外光センサ１０４に入力される。つまり、外光センサ１０４が検出する照度検出値には、環境光における照度成分の他に、反射光における照度成分が含まれる。入力映像信号のＡＰＬ算出値が十分低い場合は、ディスプレイ部１０２から発生する表示光の量が少ないため、結果として反射光は少なくなる。従って、このケースにおいて外光センサ１０４が反射量算出部１０５に出力する照度検出値は、視聴環境における環境光の照度に近い値を示す（図２の点Ｉ１）。対して、入力映像信号のＡＰＬ算出値が十分高い場合は、ディスプレイ部１０２から発生する表示光の量が多いため、結果として反射光は多くなる。従って、このケースにおいて外光センサ１０４が反射量算出部１０５に出力する照度検出値は、視聴環境における環境光の照度と反射光の照度の合計値となる（図２の点Ｉ２）。
【００２４】
つまり、反射量算出部１０５は、点Ｉ２における照度検出値から点Ｉ１における照度検出値を減算することで、視聴環境における環境光の照度を除去し、反射光による照度成分を決定することができる。
【００２５】
なお、本実施例では、反射量算出部１０５によって行われる反射光による照度成分の決定は、映像表示装置１００の設置環境における反射光が変化しないケースを想定している。そのため、反射量（反射光の照度）の決定は、例えば次のような手順で実行される。まず、映像表示装置１００の電源投入直後に黒画像の表示を行う。そして、この時点の照度検出値を外光センサ１０４から取得する。その後、ＡＰＬが高い値を示すような画像の表示を行い、この時点の照度検出値を外光センサ１０４から取得する。これらの照度検出値の差分を求めることで、映像表示装置１００が設置されている環境における反射光の照度成分を決定できる。
【００２６】
反射量算出部１０５が決定した反射量の算出値は後述する第２調整値生成部１０８へ出力される。
【００２７】
続いて、図１における第１調整値生成部１０７の説明を行う。第１調整値生成部１０７は、ＡＰＬ値毎に、つまり、映像信号の１フレームデータ毎に、後述する輝度ゲイン制御値生成部１０６での処理に利用される第１調整値を算出する。
【００２８】
図３は、第１調整値生成部１０７が実行する第１調整値の生成処理の概念を示すグラフである。グラフの横軸はＡＰＬ値、縦軸は第１調整値生成部１０７の出力値となる。本実施例では、第１調整値の範囲は、−１から０までの値である。第１調整値生成部１０７は、ＡＰＬ値が所定の閾値Ｓ１以下ならば、第１調整値として０を出力する。ＡＰＬ値が所定の閾値Ｓ１を超えると、０より小さい値を出力し、ＡＰＬ値が大きくなるにつれて、第１調整値が−１に近づくような値を導出する。つまり、ＡＰＬ値が閾値Ｓ１を超えて大きくなる場合には反射光が大きくなるため、映像のピーク輝度を低減するためのパラメータを出力する。第１調整値生成部１０７が生成した第１調整値（パラメータ）は輝度ゲイン制御値生成部１０６へ出力される。
【００２９】
なお、第１調整値生成部１０７は、予め定められたテーブル形式のデータを用いて第１調整値を導出しても良い。また、図３に示したグラフに相当する関数を用いて計算により第１調整値を導出しても良い。
【００３０】
続いて、第２調整値生成部１０８が実行する第２調整値の生成処理を説明する。図４は、第２調整値生成部１０８が実行する第２調整値の生成処理の概念を示すグラフである。グラフの横軸は反射量算出部１０５で算出された反射量であり、縦軸は第２調整値生成部１０８の出力値となる。
【００３１】
第２調整値生成部１０８は、輝度ゲイン制御値生成部１０６において、ＡＰＬ値が閾値Ｓ１を超える部分の傾きを変更するための第２調整値を生成する。図４では、反射量（反射光の照度）が所定の閾値Ｓ２以下の場合、第２調整値生成部１０８はパラメータとして１を出力する。また、反射量が所定の閾値Ｓ２を超える場合は、第２調整値生成部１０８はパラメータとして１よりも大きい値を出力する。なお、所定の閾値Ｓ２として設定する反射量は、視聴者にとって不快に感じない程度の反射光の照度に相当する値とするのが好適である。従って、反射量が閾値Ｓ２よりも大きい場合において、映像信号の輝度を低下させることが可能となる。第２調整値生成部１０８が生成した第２調整値（パラメータ）は輝度ゲイン制御値生成部１０６へ出力される。
【００３２】
なお、第２調整値生成部１０８は、予め定められたテーブル形式のデータを用いて第２調整値を導出しても良い。また、図４に示したグラフに相当する関数を用いて計算により第２調整値を導出しても良い。
【００３３】
次に、輝度ゲイン制御値生成部１０６について説明する。輝度ゲイン制御値生成部１０６は、第１調整値生成部１０７からの出力（第１調整値）と、第２調整値生成部１０８からの出力（第２調整値）とに基づいて、輝度ゲイン制御回路１０１で用いる補正値である輝度ゲイン制御値を生成する。
【００３４】
図５は、輝度ゲイン制御値生成部１０６が実行する輝度ゲイン制御値の生成処理の概念を示すグラフである。横軸はＡＰＬ計算部１０３で算出したＡＰＬ値、縦軸は輝度ゲイン制御値生成部１０６が出力する輝度ゲイン制御値に相当する。輝度ゲイン制御値は、第１調整値生成部１０７から出力された第１調整値と、第２調整値生成部１０８から出力された第２調整値を乗算したのち、１を加算したものである。
【００３５】
上述したように、反射量が閾値Ｓ２以下の場合、第２調整値は１となる。従って、第２調整値（値が１）と第１調整値を乗算することになり、輝度ゲイン制御値は第１調整値の出力と同様の特性となる。つまり、図５の閾値Ｓ１以下の部分は、図３の閾値Ｓ１以下の部分に１を乗算した結果（値が０）に対して１を加算したものとなる。つまり、値は１となる。また、図５の閾値Ｓ１を超える部分は、図３の閾値Ｓ１を超える部分に１を乗算した結果に対して、１を加算した値となる。
【００３６】
図５におけるライン５０１は反射量が小さい場合、ＡＰＬ値が閾値Ｓ１を超えて増加した場合の輝度ゲイン制御値の値を示すラインである。つまり、ライン５０１は反射量が閾値Ｓ２以下の場合に相当する線分となる。この場合、第２調整値は常に１であるので、第１調整値と第２調整値の乗算結果に１を加算した結果は、図３の線分に１を加算した値と等しい。
【００３７】
一方、反射量が閾値Ｓ２を超えている場合で、かつＡＰＬ値が閾値Ｓ１を超えると、輝度ゲイン制御値が１より小さい値を示すようになる。図５におけるライン５０２は、反射量がライン５０１の状況よりも多い場合、即ち、閾値Ｓ２より大きい場合で、ＡＰＬ値が閾値Ｓ１を超えて増加した場合の輝度ゲイン制御値の値を示すラインである。この場合、輝度ゲイン制御値はライン５０１に比べて小さい値が出力される。つまり、ＡＰＬ値が閾値Ｓ１を超えている場合、反射量が閾値Ｓ２を超えて増大するにつれて、輝度ゲイン制御値は低下することを示している。
【００３８】
輝度ゲイン制御値生成部１０６が生成した輝度ゲイン制御値は輝度ゲイン制御回路１０１へ出力される。なお、輝度ゲイン制御値生成部１０６は、予め定められたテーブル形式のデータを用いて輝度ゲイン制御値を導出しても良い。また、図５に示したグラフに相当する関数を用いて、計算により輝度ゲイン制御値を導出しても良い。
【００３９】
次に、輝度ゲイン制御回路１０１について説明する。輝度ゲイン制御回路１０１は、輝度ゲイン制御値生成部１０６からの出力を用いて、入力映像信号に対する輝度ゲインの補正を行う。輝度ゲイン制御回路１０１による補正は、画面に表示される映像の表示輝度を低下させる処理となる。本実施例では、自発光型のディスプレイであるＳＥＤを想定しているので、ディスプレイ部で表示される映像の表示輝度を低下させるように映像信号の輝度ゲインを調整する。
【００４０】
図６は、入力映像信号の輝度ゲインを輝度ゲイン制御回路１０１で補正した場合のピーク輝度の補正度合いを示すグラフである。横軸はＡＰＬ計算部１０３で算出したＡＰＬ値、縦軸はディスプレイ部１０２で表示される映像のピーク輝度レベルに相当する。つまり、図６は輝度ゲイン制御回路１０１で補正された映像信号のＡＰＬとピーク輝度レベルの関係を示す図である。
【００４１】
図６におけるライン６０１は反射量が小さい場合、ＡＰＬ値が閾値Ｓ１を超えて増加した場合のピーク輝度レベルの補正度合いを示している。つまり、図５におけるライン５０１で示した輝度ゲイン制御値によって補正されたピーク輝度レベルに相当する。また、ライン６０２は反射量がライン６０１の状況よりも多い場合で、ＡＰＬ値が閾値Ｓ１を超えて増加した場合のピーク輝度レベルの補正度合いを示している。つまり、図５におけるライン５０２で示した輝度ゲイン制御値によって補正されたピーク輝度レベルに相当する。このように、ＡＰＬ値が閾値Ｓ１以下の場合は、図５で示した輝度ゲイン制御値が１となるため、ピーク輝度レベルの補正を行わない。しかし、ＡＰＬ値が閾値Ｓ１を超えるケースでは、輝度ゲイン制御値が変化するため、それに従ってピーク輝度レベルを低下させる補正が働く。そして、その補正度合いは、反射量に対応する第２調整値と、ＡＰＬに対応する第１調整値とから生成される輝度ゲイン制御値に基づくものである。
【００４２】
図６に示すように、入力映像信号のＡＰＬが高い場合には、画面表示によって反射する反射光の照度が大きい環境は反射光の照度が小さい環境よりも、ピーク輝度レベルを低下させる補正度合いを強くする。ピーク輝度レベルを低下させることで映像の表示輝度が低下する。その結果、表示画面からの発光量が低下し、表示画面が発する光が反射する反射光による視聴中の不快感を軽減させることが可能となる。
【００４３】
また、本実施例では、反射光の照度の大きい環境であっても、入力映像信号のＡＰＬが低い場合には、ピーク輝度レベルを低下させないため、映像が必要以上に暗くなることも避けることが可能である。
【００４４】
続いて、図７に本実施例における処理フローを示す。本フローは上述した各部の動作を処理手順として示すものである。なお、映像表示装置１００を構成する機能部のうち、上述した各部における動作以外の処理は全て映像表示装置１００の制御を司るＣＰＵのような制御部（不図示）が実行するものとする。
【００４５】
まず、ステップＳ７０１では、映像表示装置１００の電源がＯＮされたか否かを制御部が判定する。電源がＯＮされたならばステップＳ７０２へ処理を進める。
【００４６】
ステップＳ７０２では、制御部がディスプレイ部１０２で低輝度の映像表示を行うよう制御する。その後、ステップＳ７０３では、外光センサ１０４が低輝度の映像表示時の照度を検出する。外光センサ１０４が検出した照度は反射量算出部１０５へ出力される。また、このときのＡＰＬ値をＡＰＬ計算部１０３が反射量算出部１０５へ出力する。
【００４７】
なお、低輝度の映像とは上述したように黒画面の表示であれば良く、必ずしも何らかの映像を表示する必要はない。つまり、画面に何も表示していない状況での環境光を検出することでも同等の照度を得ることが可能となる。
【００４８】
続いて、ステップＳ７０４では、制御部がディスプレイ部１０２で高輝度の映像表示を行うよう制御する。その後、ステップＳ７０５では、外光センサ１０４が高輝度の映像表示時の照度を検出する。外光センサ１０４が検出した照度は反射量算出部１０５へ出力される。また、このときのＡＰＬ値をＡＰＬ計算部１０３が反射量算出部１０５へ出力する。
【００４９】
低輝度の映像表示時の外光と高輝度の映像表示時の外光とを検出した後、ステップＳ７０６へ移行し、映像表示装置が設置されている環境における反射量の算出を行う。この算出は反射量算出部１０５が実行する。
【００５０】
反射量算出部１０５は、低輝度時のＡＰＬ値及び照度検出値と、高輝度時のＡＰＬ値及び照度検出値の差分から反射量を決定する。決定された反射量の値は第２調整値生成部１０８へ出力される。反射光の照度（反射量）の決定手法については図２を用いて説明したのでここでの記載は省略する。
【００５１】
ステップＳ７０７では、第２調整値生成部１０８が第２調整値を生成する。第２調整値及びその値の生成については、上述した通りであるので説明を省略する。生成された第２調整値は輝度ゲイン制御値生成部１０６へ出力される。
【００５２】
続いて、ステップＳ７０８では映像信号の入力を開始する。複数のフレームデータから構成される映像信号はフレーム単位に輝度ゲイン制御回路１０１及びＡＰＬ計算部１０３へ入力される。ステップＳ７０９では、ＡＰＬ計算部１０３がフレームデータ毎にＡＰＬ値を算出すると共に、算出したＡＰＬ値を第１調整値生成部１０７へ出力する。
【００５３】
ステップＳ７１０では、第１調整値生成部１０７が、図３を用いて説明した通り、入力されたＡＰＬ値に応じて第１調整値を生成し、輝度ゲイン制御値生成部１０６へ出力する。
【００５４】
ステップＳ７１１では、輝度ゲイン制御値生成部１０６が第１調整値と第２調整値とから輝度ゲイン制御値を生成する。なお、この輝度ゲイン制御値が適用される映像信号はＡＰＬ算出部１０３でＡＰＬ値を算出した映像フレームとなる。輝度ゲイン制御値生成部１０６は生成した輝度ゲイン制御値を輝度ゲイン制御回路１０１へ出力する。
【００５５】
ステップＳ７１２では、輝度ゲイン制御回路１０１が入力された輝度ゲイン制御値を用いて映像信号に相当するフレームデータの輝度ゲインを補正する処理を実行する。なお、輝度ゲイン制御回路１０１が実行する輝度ゲインの補正処理は上述したものと同じであるため、説明を省略する。
【００５６】
映像信号が入力されている間、ステップＳ７０９からステップＳ７１２の処理はフレーム単位に映像表示装置１００の電源がＯＦＦされるまで継続して行われる。制御部は、ステップＳ７１３にて映像表示装置１００の電源がＯＦＦされたことが検知された場合に、上記の処理を終了させる。
【００５７】
以上、本実施例によれば、映像表示装置１００が発する光が反射することで生じる、室内の明るさの変動に起因する視聴者の不快感を軽減することが可能となる。
【００５８】
なお、本実施例では、輝度ゲイン制御値に基づいて、輝度ゲイン制御回路１０１が入力映像信号のうち、ＡＰＬ値が所定の閾値Ｓ１より高い映像信号の場合にピーク輝度レベルを低下させる処理を実行した。しかしながら、液晶ディスプレイのような、バックライトを発光させるタイプの透過型ディスプレイでは、バックライトの発光量を調整することでも、表示映像の輝度レベルを低下させることが可能である。この場合、上述した実施例における輝度ゲインに相当する値をバックライトの発光量の調整に適用すればよい。このように、本発明は、輝度を調整する手法によって限定されるものではなく、ディスプレイで映像を表示する際の画面の表示輝度が最終的に調整される手法であれば如何なる調整方法を採用してもよい。
【００５９】
また、本実施例では、ＡＰＬ値が高い場合の輝度の補正度合いは、反射量に応じて制御していた。しかし、反射量が同じであっても、視聴環境における照明や日光などの環境光の照度が低い場合、つまり暗い環境の場合には、明るい環境の場合に比べて反射による明るさの変動が顕著となる。そこで、本実施例の変形例として、第２調整値生成部１０７が反射量と低ＡＰＬ値の場合の照度との比率に応じて、第２調整値を生成する。
【００６０】
図８は本変形例における第２調整値生成部１０７で実行される処理を説明するためのグラフである。図８において横軸は反射量を低ＡＰＬ時の環境光の照度で除した値である。この値が大きいほど、反射量が大きいことになる。反射量だけを用いるのではなく、設置環境の環境光の照度も演算に用いることで、環境光の照度が低い場合には補正度合いを高くし、環境光の照度が高い場合は補正度合いを小さくすることができる。これにより、視聴者が不快感を感じやすいケースとさほど感じないケースとで適切な輝度ゲインの補正処理を実行することが可能となる。
【００６１】
（実施例２）
続いて、本発明の第２の実施例について説明を行う。第１の実施例では映像信号の入力前に反射量を算出し、その反射量から得られた第２調整値と、ＡＰＬ値から得られた第１調整値を用いて輝度ゲイン制御値を生成していた。対して、本実施例では、反射量の算出を定期的に実行し、より高い精度で輝度ゲインの補正を行うことを目的としたものである。特に、実施例１との構成上の相違点として反射量算出部１０５の代わりに、符号９０１〜９０５で構成される各部が反射量を決定する。つまり、これらの機能部が取得手段及び決定手段として動作する。これらの符号の機能部の構成を以下に説明する。
【００６２】
図９は第２の実施例における映像表示装置１００の構成を示したブロック図である。映像表示装置１００にて表示される入力映像信号は、輝度ゲイン制御回路１０１とＡＰＬ計算部１０３にそれぞれ入力される。なお、上述した実施例１と同様の機能を実行する機能部には図１と同様の符号を付し、説明を省略する。
【００６３】
本実施例において、外光センサ１０４は映像表示装置１００が設置されている環境における外光を常に検出している。
【００６４】
ＡＰＬ計算部１０３の出力は第１調整値生成部１０７と、ＡＰＬ判別部９０１へ入力される。ＡＰＬ判別部９０１は入力されるＡＰＬの値と予め定められた閾値とを比較する処理を実行する。ＡＰＬ判別部９０１は、閾値Ｓ３と閾値Ｓ４のそれぞれとＡＰＬ値を比較する。なお、この２つの閾値はＳ３＜Ｓ４という関係を有している。なお、ＡＰＬ判別部９０１で比較した結果、２つの閾値との関係に応じて、ＡＰＬ値はＡＰＬ／照度保持部ＬとＡＰＬ／照度保持部Ｈのどちらか一方で保持される。なお、ＡＰＬ値がＳ３とＳ４の間にある場合はＡＰＬ／照度保持部Ｌ及びＡＰＬ／照度保持部Ｈのどちらにも保持されない。
【００６５】
ＡＰＬ／照度保持部Ｌ９０２は、ＡＰＬ判別部９０１での比較の結果、ＡＰＬ値が閾値Ｓ３以下の場合に、そのＡＰＬ値とその際の照度検出値の組を保持する。なお、照度検出値は外光センサ１０４で検出される外光の照度である。
【００６６】
ＡＰＬ／照度保持部Ｈ９０３は、ＡＰＬ判別部９０１での比較の結果、ＡＰＬ値が閾値Ｓ４以上の場合に、そのＡＰＬ値とその際の照度検出値の組を保持する。
【００６７】
ここで、ＡＰＬ／照度保持部Ｌ９０２で保持されたＡＰＬ値をＡ１、照度検出値をＢ１とする。また、ＡＰＬ／照度保持部Ｈ９０３で保持されたＡＰＬ値をＡ２、照度検出値をＢ２とする。
【００６８】
傾き算出部９０４は、ＡＰＬ／照度保持部Ｌ９０２及びＡＰＬ／照度保持部Ｈ９０３から出力されるＡＰＬ値Ａ１及び照度検出値Ｂ１の組と、ＡＰＬ値Ａ２と照度検出値Ｂ２の組とを用いて、反射量に相当する傾きの大きさを算出する。ＡＰＬ値及び照度検出値の組を複数用いて傾きの大きさを算出する傾き算出部９０４の詳細については後述する。
【００６９】
保持部９０５は傾き算出部９０４で算出された傾きの大きさを反射量として保持する。保持部９０５で保持された反射量は第２調整値生成部１０８へ入力される。第２調整値生成部１０８で実行される処理は上述した実施例１と同様の処理となる。また、第１調整値生成部１０７及び輝度ゲイン制御値生成部１０６で実行される処理も実施例１と同様の処理となる。
【００７０】
続いて、本実施例の処理フローを図１０を用いて説明する。図１０は第２実施例における反射量の算出処理を説明するためのフローチャートである。以下のフローチャートの各処理は映像信号のフレーム単位に実行される。
【００７１】
まず、ステップＳ１００１では、映像信号が映像表示装置１００に入力される。この映像信号はフレーム単位の映像データ（フレームデータ）である。
【００７２】
続いて、ステップＳ１００２では、ＡＰＬ計算部１０３がフレームデータのＡＰＬ値を算出する。ＡＰＬ計算部１０３が算出したＡＰＬ値は第１調整値生成部１０７とＡＰＬ判別部９０１、ＡＰＬ／照度保持部Ｌ９０２、ＡＰＬ／照度保持部Ｈ９０３に出力される。
【００７３】
映像表示装置１００では、ＡＰＬ算出時の外光を外光センサ１０４で検出することでこのときの設置環境における照度を得る。得られた照度検出値はＡＰＬ／照度保持部Ｌ９０２と、ＡＰＬ／照度保持部Ｈ９０３にそれぞれ出力される。
【００７４】
続いて、ステップＳ１００４では、ＡＰＬ計算部１０３が出力したＡＰＬ値をＡＰＬ判別部９０１が閾値Ｓ３と比較する。ＡＰＬ値が閾値Ｓ３以下であれば、ステップＳ１００５へ処理を移行する。ＡＰＬ値が閾値Ｓ３より大きければステップＳ１００６へ処理を移行する。
【００７５】
ステップＳ１００５は、ステップＳ１００４において、ＡＰＬ判別部９０１がＡＰＬ値は閾値Ｓ３以下であると判別した場合の処理である。この場合は、ＡＰＬ判別部９０１がこのＡＰＬ値とステップＳ１００３で検出した照度をＡＰＬ／照度保持部Ｌ９０２が保持するための制御信号を送出する。上述したように、ＡＰＬ／照度保持部Ｌ９０２で保持されるＡＰＬ値をＡ１、照度検出値をＢ１と定義する。なお、ＡＰＬ値が閾値Ｓ３以下の場合にはＡＰＬ／照度保持部Ｈ９０３にはＡＰＬ値は保持されない。
【００７６】
続いて、ステップＳ１００６では、ＡＰＬ計算部１０３が出力したＡＰＬ値をＡＰＬ判別部９０１が閾値Ｓ４と比較する。ＡＰＬ値が閾値Ｓ４以上であれば、ステップＳ１００７へ処理を移行する。ＡＰＬ値が閾値Ｓ４より小さければステップＳ１００８へ処理を移行する。なお、ステップＳ１００４において閾値Ｓ３以下であると判別されたＡＰＬ値は閾値Ｓ４より小さいことになるので、ステップＳ１００７の処理はスルーされる。
【００７７】
ステップＳ１００７は、ステップＳ１００６において、ＡＰＬ判別部９０１がＡＰＬ値は閾値Ｓ４以上であると判別した場合の処理である。この場合は、ＡＰＬ判別部９０１がこのＡＰＬ値とステップＳ１００３で検出した照度をＡＰＬ／照度保持部Ｈ９０３が保持するための制御信号を送出する。上述したように、ＡＰＬ／照度保持部９０３で保持されるＡＰＬ値をＡ２、照度検出値をＢ２と定義する。なお、ＡＰＬ値が閾値Ｓ４以上の場合には、ＡＰＬ／照度保持部Ｌ９０２にはＡＰＬ値は保持されない。
【００７８】
ステップＳ１００８は、ＡＰＬ／照度保持部Ｌ９０２とＡＰＬ／照度保持部Ｈ９０３にＡＰＬ値と照度検出値がそれぞれ保持されているか否かを判定する処理である。この判定は不図示の制御部によって実行される。どちらの保持部にも値が保持されていない場合には、ステップＳ１００１へ処理を戻し、次のフレームデータに対して同様の処理を継続する。また、どちらか一方の保持部にしか値が保持されていない場合にも、ステップＳ１００１へ処理を戻し、次のフレームデータに対して同様の処理を継続する。どちらの保持部にも値（Ａ１、Ａ２、Ｂ１、Ｂ２）が保持されているならば、ステップＳ１００９へ処理を移行する。
【００７９】
ステップＳ１００９は、傾き算出部９０４がＡＰＬ／照度保持部Ｌ９０２及びＡＰＬ／照度保持部Ｈ９０３にそれぞれ保持されたＡＰＬ値（Ａ１、Ａ２）と照度検出値（Ｂ１、Ｂ２）とを用いて、反射量に相当する傾きの大きさＣを求める処理である。
【００８０】
図１１は横軸にＡＰＬ値、縦軸に照度検出値を採用したグラフである。傾き算出部９０４は、閾値Ｓ３以下の場合のＡＰＬ値（Ａ１）と照度検出値（Ｂ１）の組と、閾値Ｓ４以上の場合のＡＰＬ値（Ａ２）と照度検出値（Ｂ２）の組とを用いて、これらの値をグラフにプロットし、直線で結んだ場合の傾きの大きさＣを求める。
【００８１】
傾きの大きさＣはＣ＝（Ｂ２−Ｂ１）／（Ａ２−Ａ１）で求められる。この求めた値Ｃは傾き算出部９０４から保持部９０５へ出力される。
【００８２】
ステップＳ１０１０では、保持部９０５が、傾き算出部９０４から入力された傾きの大きさＣを保持する。本実施例では、この傾きの大きさＣが映像表示装置１００が設置された環境における反射量となる。但し、本実施例は反射量が変動するケースを想定しているため、傾きの大きさＣは反射量の変動に応じて変化するものである。
【００８３】
保持部９０５は、傾き算出部９０４から値Ｃが入力されると、ステップＳ１０１１に移行する。ステップＳ１０１１では、保持部９０５がＡＰＬ／照度保持部Ｌ９０２とＡＰＬ／照度保持部Ｈ９０３に保持されているそれぞれの値をクリアするための制御信号を送出する。この制御信号に基づいて、ＡＰＬ／照度保持部Ｌ９０２は保持しているＡＰＬ値（Ａ１）と照度検出値（Ｂ１）をクリア（消去）する。また、ＡＰＬ／照度保持部Ｈ９０３は保持しているＡＰＬ値（Ａ２）と照度検出値（Ｂ２）をクリア（消去）する。
【００８４】
なお、図１０に示したフローでは、ステップＳ１０１１の処理が完了すると本処理を終了するように記述してあるが、本実施例では、ステップＳ１０１１で各値がクリアされると、再びステップＳ１００１から処理を開始することになる。
【００８５】
保持部９０５に保持された反射量の値Ｃは、第２調整値生成部１０８に入力され、第２調整値の生成に利用される。なお、第２調整値生成部１０８の処理は上述した実施例１で記載したものと同様であるので、説明を省略する。
【００８６】
次に、以上の処理で算出された反射量Ｃを用いて、入力映像信号の輝度ゲインを補正するための制御について説明する。
【００８７】
保持部９０５に保持された反射量Ｃは、所定の周期毎に第２調整値生成部１０８に入力される。これは、例えば２秒周期毎に第２調整値生成部１０８が保持部９０５に保持されている反射量の値をサンプリングして取得することに相当する。ここで、反射量をサンプリングする時刻のうち、最初にサンプリングする時刻をｔ１、その後、所定の周期後のサンプリング時刻をｔ２とする。
【００８８】
なお、第１調整値生成部１０７は入力される映像信号の全てのフレームデータに対して算出されるＡＰＬ値を元に、フレーム単位に第１調整値を生成し、輝度ゲイン制御値生成部１０６に出力する。
【００８９】
輝度ゲイン制御値生成部１０６は、フレーム単位に入力される第１調整値と、所定の周期で入力される第２調整値とに基づいて、輝度ゲイン制御値をフレーム単位に生成し、輝度ゲイン制御回路１０１へ出力する。
【００９０】
さて、図１１は、傾き算出部９０４で算出される傾きの大きさの概念を示すグラフである。なお、図１１のグラフでは、時刻ｔ１と時刻ｔ２におけるそれぞれのサンプリング時に保持部９０５に保持されている傾きの大きさ、つまり反射量を示している。図１１では、時刻ｔ１にサンプリングした時に保持部９０５に保持されていた傾きよりも、時刻ｔ２にサンプリングした時に保持部９０５に保持されていた傾きの方が小さいケースを開示した。これは、サンプリング時刻ｔ１の時点での反射量Ｃより、サンプリング時刻ｔ２の時点での反射量Ｃの方が小さいということを意味する。なお、図１１の２つの直線は時刻ｔ１またはｔ２において得られたＡＰＬ値及び照度検出値を意味するものではないことに注意されたい。
【００９１】
図１２は入力映像信号の輝度ゲインを輝度ゲイン制御回路１０１で補正した場合のピーク輝度の補正度合いを示すグラフである。横軸はＡＰＬ計算部１０３で算出したＡＰＬ値、縦軸はディスプレイ部１０２で表示される映像のピーク輝度レベルに相当する。つまり、図１２はコントラスト制御回路１０１で補正された映像信号のＡＰＬ値とピーク輝度レベルの関係を示す図である。
【００９２】
図１２の破線は反射量が小さい環境におけるピーク輝度の補正度合いを示したものである。また、図１２の実線ｔ１とｔ２はそれぞれ図１１に示したサンプリング時刻ｔ１及びサンプリング時刻ｔ２に対応する反射量における、ピーク輝度の補正度合いを示したものである。サンプリング時刻ｔ１では、図１１に示した傾きが大きいことから反射量Ｃの値が大きい値を示している。従って、反射量が小さい環境よりもＡＰＬが高い値のピーク輝度の補正度合いは強くなる。
【００９３】
時刻ｔ１にサンプリングされた反射量に基づいて生成された第２調整値と、時刻ｔ１以降に算出されるＡＰＬ値から生成された第１調整値に基づいて輝度ゲイン制御値が生成される。このときのフレームのＡＰＬ値が高い値を示す場合には、図１２に示したように、ピーク輝度の補正度合いは破線で示した補正度合いに比べて強く補正される。従って、ディスプレイ部１０２でこのフレームデータを表示した際にディスプレイから発する光量が低下するため、反射光の照度（反射量）も低下する。
【００９４】
その後、所定の周期後である時刻ｔ２で再びサンプリングされた反射量に基づいて生成された第２調整値と、時刻ｔ２以降に算出されるＡＰＬ値に基づいて生成された第１調整値に基づいて輝度ゲイン制御値が生成される。上述したように、サンプリング時刻ｔ２の時点では、サンプリング時刻ｔ１の時点に比べて反射量が小さい環境に変化している。そのため、このときのフレームのＡＰＬ値がサンプリング時刻ｔ１の時と同じ値を示したとしても、図１２に示したように、ピーク輝度の補正度合いはサンプリング時刻ｔ１の場合に比べて弱くなる。
【００９５】
もちろん、サンプリング時刻ｔ１とサンプリング時刻ｔ２で反射量が変動しなければ第２調整値は同一の値を示すため、輝度ゲイン制御値も同一の値となり、ピーク輝度の補正度合いも変化しない。また、ＡＰＬ値が閾値Ｓ１以下の場合は、ピーク輝度を低減するような補正を実行しないため、視聴者が不快に感じない程度の輝度の映像信号まで輝度を低下させる処理は行わない。
【００９６】
以上、本実施例では、映像表示装置が設置されている環境において、反射光の照度が変動するようなケースでも、定期的に反射光の照度を取得することで反射光の照度に適したピーク輝度の補正度合いを動的に変更する。これにより、視聴者が不快に感じるような視聴環境の明滅を抑制することが可能となる。
【００９７】
なお、映像の視聴中に反射光の照度が変動するようなケースとは、例えば映像表示装置のディスプレイの向きを変えた場合や、ディスプレイの近くに反射する物体が置かれた場合や取り除かれた場合などが例として挙げられる。
【００９８】
また、本実施例では、輝度ゲイン制御値に基づいて、輝度ゲイン制御回路１０１が入力映像信号のうち、ＡＰＬ値が所定の閾値Ｓ１より高い映像信号の場合にピーク輝度レベルを低下させる処理を実行した。しかしながら、液晶ディスプレイのような、バックライトを発光させるタイプの透過型ディスプレイでは、バックライトの発光量を調整することでも、表示映像の輝度レベルを低下させることが可能である。この場合、上述した実施例における輝度ゲインに相当する値をバックライトの発光量の調整に適用すればよい。このように、本発明は、輝度を調整する手法によって限定されるものではなく、ディスプレイで映像を表示する際の画面の表示輝度が最終的に調整される手法であれば如何なる調整方法を採用してもよい。
【００９９】
また、上述した実施例１及び実施例２では、ＡＰＬ値が所定の閾値Ｓ１以下の映像信号に対しては、輝度ゲインを補正する処理を行わないようなグラフを用いている。しかしながら、本発明は所定の閾値Ｓ１以下のＡＰＬ値を有する映像信号に対しても、Ｓ１を超える場合の補正度合いより弱い輝度補正を行う処理を実行しても良い。本発明は、低ＡＰＬ値の映像信号に対して輝度の補正を行わないことを特徴とするものではない。
【０１００】
なお、上述した実施例１及び実施例２において、外光センサ以外の各機能部はハードウェアで実現するように構成してもよいし、ソフトウェアで実現するように構成してもよい。これらの機能部をハードウェアまたはソフトウェアで実現するかによって本発明は制限されるものではない。
【図面の簡単な説明】
【０１０１】
【図１】本発明の実施例１における映像表示装置の構成を示すブロック図である。
【図２】本発明の実施例１における反射量算出部で実行される反射量の算出処理の概念を示すグラフである。
【図３】本発明の実施例１における第１調整値生成部が実行する第１調整値の生成処理の概念を示すグラフである。
【図４】本発明の実施例１における第２調整値生成部が実行する第２調整値の生成処理の概念を示すグラフである。
【図５】本発明の実施例１における輝度ゲイン制御値生成部が実行する輝度ゲイン制御値の生成処理の概念を示すグラフである。
【図６】本発明の実施例１における輝度ゲイン制御を実行した場合のピーク輝度レベルの補正処理を示すグラフである。
【図７】本発明の実施例１における処理フローを示すフローチャートである。
【図８】本発明の実施例１の変形例における第２調整値生成部が実行する第２調整値の生成処理の概念を示すグラフである。
【図９】本発明の実施例２における映像表示装置の構成を示すブロック図である。
【図１０】本発明の実施例２における反射量の算出処理を示すフローチャートである。
【図１１】本発明の実施例２における傾き算出部が実行する傾きの大きさを算出する処理の概念を示すグラフである。
【図１２】本発明の実施例２における輝度ゲイン制御を実行した場合のピーク輝度レベルの補正処理を示すグラフである。
【図１】
2008268500.tif 000003
【図２】
2008268500.tif 000004
【図３】
2008268500.tif 000005
【図４】
2008268500.tif 000006
【図５】
2008268500.tif 000007
【図６】
2008268500.tif 000008
【図７】
2008268500.tif 000009
【図８】
2008268500.tif 000010
【図９】
2008268500.tif 000011
【図１０】
2008268500.tif 000012
【図１１】
2008268500.tif 000013
【図１２】
2008268500.tif 000014